Podtech/llm-jp-corpus-v4-ja_patent huggingface dataset:
(57)【特許請求の範囲】
【請求項１】
単一出力のスイッチングトランスと、
直流電源の出力をスイッチングし前記スイッチングトランスの入力にパルス電流を流し込むスイッチングトランジスタと、
前記スイッチングトランジスタを制御するスイッチング制御回路と、
前記スイッチングトランスの単一出力と重水素放電管のアノードとカソード間を開閉するトリガスイッチトランジスタと、
前記トリガスイッチトランジスタの開閉を制御するタイマーと、
前記スイッチングトランスの単一出力を充電するコンデンサと、
前記重水素放電管の放電電流に比例した電圧が発生する抵抗と、
により構成され、
前記タイマーにより前記トリガスイッチトランジスタが開放状態にあるときに、前記コンデンサに前記スイッチングトランスの単一出力が充電され、
前記タイマーにより前記トリガスイッチトランジスタを閉じると前記コンデンサに充電された放電トリガ電圧が前記重水素放電管のアノードとカソード間に印加され、
前記抵抗の両端に発生する放電電流に比例した電圧を前記スイッチング制御回路にフィードバックする事によりスイッチングトランジスタのスイッチングが制御され定電流制御がなされることにより、
単一のトランス出力により放電トリガ電圧と放電電流の供給を行うことを特徴とする重水素放電管電源。
【発明の詳細な説明】
【０００１】
【発明の属する技術分野】
分光分析装置の光源として用いる重水素放電管の電源に関し、特にスイッチング方式による電源に関する。
【０００２】
【従来の技術】
特開平５−９３７５２号公報に示される点灯回路は点灯開始のトリガ電圧回路と、放電電流を供給する定電流回路とで示されている。
【０００３】
また特開平１０−１１６６９０号公報は、点灯開始のトリガ電圧印加回路にトランスを使用した例であるが、放電電流を供給する回路は別回路で構成されている。また特開平８−７７９６５号公報においては放電管の構造を変えた特殊な重水素放電管により、単一電源出力で点灯と放電電流の供給を可能にしている。
【０００４】
【発明が解決しようとする課題】
前記した重水素放電管の電源おいては、放電を開始させるためのトリガ電圧発生回路と、放電電流を供給する定電流回路とを別々に構成しているため部品数が多くなり高価な電源になってしまう問題があった。
【０００５】
またアノードとカソード電極の他に１つの電極を設けた特殊な重水素放電管を用いて電源回路を簡略化する方法は、広く普及している重水素放電管が使用できない問題がある。
【０００６】
本発明では広く普及しているアノードとカソード電極で構成される重水素放電管の電源を安価に提供することを目的とする。
【０００７】
【課題を解決するための手段】
前記目的を達成するために、放電電流を供給するトランス出力を開放状態にする時間を設け、この時に発生する高電圧パルスをコンデンサに充電し、充電電圧が放電開始トリガ電圧以上になった時点で、放電管に印加することにより放電開始と放電電流の供給をスイッチングトランスの単一出力だけで可能にしたものである。
【０００８】
【発明の実施の形態】
以下、本発明の実施例を図１と図２と図３により説明する。
【０００９】
スイッチング制御回路１０のスイッチング信号により、直流電源１の出力をスイッチングトランジスタ９でスイッチングし、スイッチングトランス２の入力にパルス電流を流し込む。これによりスイッチングトランス２からは、図２に示すパルスが出力される。図２のＶ１はトリガスイッチトランジスタ１２がタイマー１１により一定時間開放状態(OFF)にあるときに、スイッチングトランス２が出力するパルスの電圧波形であり、本実施例では５００Ｖである。このパルス出力はダイオード３により、整流され、コイル４を通り、コンデンサ５に充電される。また、Ｖ２は、放電管の放電を維持するための電圧である。
【００１０】
図３の２１にトリガスイッチトランジスタ１２が開放(OFF)の時のコンデンサ５の充電電圧波形を示す。
【００１１】
タイマー１１によりトリガスイッチトランジスタ１２を閉じる(ONにする)とコンデンサ５に充電された電圧が重水素放電管７のアノードとカソード間に印加される。
【００１２】
本実施例においてはこの時の電圧を５００V以上にすることにより、確実に重水素放電管７は放電を開始する。
【００１３】
図３の２０に放電電流の波形を示す。この放電電流は抵抗６を通り、スイッチングトランス２側に流れ戻るため抵抗６の両端には放電電流に比例した電圧が発生する。この電圧をスイッチング制御回路１０にフィードバックする事によりスイッチングトランジスタ９のＯＮ時間とＯＦＦ時間が制御され定電流制御がなされる。この結果、図３−２０放電電流波形の電流値Ｉ２１は３００ｍＡになるよう制御されつづける。
【００１４】
本実施例によればトリガ電圧を作り出すトランスと整流回路を不用にすることが可能になったため、部品数の削減と小型化の効果がある。
【００１５】
【発明の効果】
本発明によれば、スイッチングトランスの出力コイルを単一にすることが可能になり、またトリガ回路の部品が少なくなり、従来技術に比較してトランスの小型化及び部品数の削減が可能になった。
【００１６】
また、従来トリガ電圧発生のため独立して別途必要であったコイルが不要になったことから、部品のショート時の対策として必要だったヒューズなどの発熱、発火防止手段が不要になった。
【００１７】
以上の効果により安価な重水素放電管電源を提供することが可能になった。
【図面の簡単な説明】
【図１】実施例の回路図。
【図２】スイッチングトランス出力を無負荷にした時の出力電圧波形図。
【図３】重水素放電管のアノードとカソード間の電圧と電流波形図。
【符号の説明】
１…直流電源、２…スイッチングトランス、３…ダイオード、４…コイル、５…コンデンサ、６…抵抗、７…重水素放電管、８…ヒータ電源、９…スイッチングトランジスタ、１０…スイッチング制御回路、１１…タイマー、１２…トリガスイッチトランジスタ、２０…重水素放電管のアノードとカソード間の電流波形、２１…重水素放電管のアノードとカソード間の電圧波形。
【図１】
0004161480.tif 000002
【図２】
0004161480.tif 000003
【図３】
0004161480.tif 000004
(57)【特許請求の範囲】
【請求項１】
水中に、林立させた弾力性を有する棒状体に可撓性を有する多孔体を遊貫状態となるように挿通し、多孔体が水流あるいは風力によって回動することを特徴とする、水の浄化方法。
【請求項２】
水中に、林立させた壁面に貫通穴を有する中空状棒状体に可撓性を有する多孔体を遊貫状態となるように挿通することを特徴とする、水の浄化方法。
【請求項３】
中空状棒状体が弾力性を有する素材からなる請求項２記載の水の浄化方法。
【発明の詳細な説明】
【０００１】
【発明の属する技術分野】
本発明は、汚濁水、貧酸素水など各種の水の水質を浄化する方法に関する。
【０００２】
【従来の技術】
従来、河川、湖沼、ダム、海岸、港湾等において汚濁水等を処理する方法としては、高分子凝集剤を用いて汚濁物質を団粒化させて除去したり、あるいはシート膜等を展張して汚濁物質を捕促する方法が採用されていた。
しかしながら、これらの従来法は、薬剤を多量に使用することから、処理費が高くなる欠点があった。またシート膜等を使用する施工法は、資材が高価であるうえ、施工にも莫大な費用を要する欠点があった。
【０００３】
【発明が解決しようとする課題】
そこで本発明者は、簡便な方法によって各種処理水の水質を向上させる方法につき、種々検討を重ねた結果本発明を完成するに至った。
【０００４】
【課題を解決するための手段】
すなわち、本発明は、水中に林立させた弾力性を有する棒状体に可撓性を有する多孔体を遊貫状態となるように挿通することを特徴とする水の浄化方法である。
【０００５】
【発明の実施の形態】
まず本発明は、河川、湖沼、ダム、海岸、港湾等における汚濁水や貧酸素状態の水を処理するために所望する水域に弾力性を有する棒状体（以下単に棒状体と云う場合がある）を林立させる。この棒状体を林立させる形態としては各棒状体を整列させたり、千鳥型に配したり、乱立状態に配して林立する等の種々の林立形態を採用することができる。
【０００６】
水中に林立させる手段としては、棒状体を直接水底の土に突き射すようにして立設させる外に、各棒状体の下端部に重錘を設けたものを直接水域に投下したり、平板状の土台板に棒状体を林立させて一体に設けたユニット体として、これを水底に設置することにより棒状体を林立させることができる。
【０００７】
また他の態様として、前記土台板を例えば発泡スチロール等の比重が１より小さい材質を用いることによってユニット体を水中の中間部に浮かせた状態に設置することもできる。この場合、ユニット体が所望する水深に保持し得るように係留ロープ等の長さを調整してその先端に重錘等を設けて水底に固定する。
また土台板を図１に示すような多数に区画された箱体を用いることによって沈殿した汚濁物質を各区画部に蓄積することができ、一旦沈殿した汚濁物質を水流等によって流出することを防止することができる。
【０００８】
本発明の弾力性を有する棒状体１としては青竹、可撓性を有する合成樹脂製、ゴム製等の中実状あるいは管状等の中空状の棒状体等が挙げられ、そして中空状の棒状体は、図２に示すような、該棒状体の短軸方向に任意の数の貫通穴を設ける事ができる。また中空状の棒状体はその壁面に任意の数だけ貫通穴を設ける事ができる。
また貫通穴を有する中空状の棒状体の場合は必ずしも弾力性を有する必要はなく、例えば鉄パイプ等の剛性体でもよい。
【０００９】
また、本発明に用いる多孔体２としては、独立気泡、あるいは連続気泡を有するスポンジ、海綿、合成繊維等が挙げられる。
これらの多孔体２の形状としては図３に示すような円筒形、図４に示すような外側面が波形を呈した凹凸形等種々の形状のものが採用できる。またこの多孔体２には耐候性物質や光触媒効果のある酸化チタン等を含有させることにより長期間に亘り、浄化効果を保持させることができる。
【００１０】
本発明方法のように多孔体２を遊貫状態に挿通した棒状体１を林立させることによって、まず棒状体１が弾力性を有することから、その反発力を利用して水流の流速を減速させることによって汚濁物質の沈降を促進させることができる。
【００１１】
本発明の多孔体２は棒状体１に遊貫状態に挿通されていることから、例えば海における干満差、湖沼における水位差によって、多孔体が棒状体を上下動かして擦ることから、貝類、藻類の付着を防止することができる。
【００１２】
また多孔体の形状が図４のような形状の場合には水流あるいは風力により回動するのでさらに付着物が付きにくく、また水を攪拌することになるので水中に酸素を供給することができ、水中の溶存酸素量が増大し一層浄化が促進される。
【００１３】
本発明方法はさらに水底から適宜の高さの位置にネット、コア、タイヤ等を水平に展張する又は、設置し、ポケット区画化されることによってネット、コア、タイヤ等と水底の間を静水域とすることができる。なおネット、コア、タイヤ等を水平に多層に展張する又は、設置し、ポケット区画化されることによってネット、コア、タイヤ等と水底の間を静水域とする効果が促進させる。
【００１４】
また、本発明の棒状体の水面より上に位置に旗、ネット、布状、ひも状等を取り付けたものを林立させることによって風が吹くと旗を揺らし、棒状体１を揺らすことから、水を攪拌することになるので水中に酸素を供給することができ、水中の溶存酸素量が増大し一層浄化が促進される。
【００１５】
本発明方法は前記したような自然界の浄化以外に例えば浄化槽、沈殿槽等に利用しても同様の効果を得ることができる。
【００１６】
【発明の効果】
以上説述したように本発明方法によれば▲１▼多孔体および棒状体が軟性体であることから貝類が付き難く、また変性することから剥離しやすい▲２▼棒状体の下流側にカルマン流が生起し、移流時に淀み域と境界層が形成され、静穏域となるので接触沈殿効果が大きい▲３▼水中に大気中の酸素を採り込み溶存酸素を増加させることができる▲４▼あらゆる水域において簡易で確実な処理ができる▲５▼流水中における透水構造体であることから閉塞等のトラブルがない▲６▼簡易消波堤としても利用でき、短期間に施工できる▲７▼水域において整流作用、移流作用がある▲８▼多孔体が変形（圧縮、膨張）することから水の吸水、排出を繰り返し行うことによって酸素の供給が行われる▲９▼中空状の棒状体に貫通穴を設けることによって、該貫通穴に水が入ったり、出たりすることによって空気中の酸素を取り込むことができる等の種々の効果がもたらされる。
【図面の簡単な説明】
【図１】本発明の土台板の斜視図
【図２】本発明の中空状の棒状体の一種を示す斜視図
【図３】本発明の多孔体の一種を示す斜視図
【図４】本発明の多孔体の他の態様を示す斜視図
【符号の説明】
１・・・・棒状体
２・・・・多孔体
【図１】
0004161289.tif 000002
【図２】
0004161289.tif 000003
【図３】
0004161289.tif 000004
【図４】
0004161289.tif 000005
(57)【特許請求の範囲】
【請求項１】
薄い金属板の絞りでプレス成型した下部タンクと上部タンクをフランジ面で結合する際、このフランジ面相互間にゴム製のパッキングを介挿させて密閉した密閉容器をそなえた浄水器において、
前記ゴム製のパッキングは、フランジ面に密着する平板部と、内周縁の上下両側面に膨出し前記タンクを密閉する弾性部と、外周縁の上下側面の少なくとも一方に伸延した位置合わせをするためのガイド部を一体に構成したものからなり、前記下部タンクと上部タンクのフランジ面相互間に前記ゴム製パッキングを介挿して締め付けたときに、両側のフランジ面内側の湾曲部に前記弾性部が圧接されるようにしたことを特徴とする浄水器。
【発明の詳細な説明】
【０００１】
【発明の属する技術分野】
本発明は、浄水器とくに家庭用など小型の浄水器に関する。
【０００２】
【従来の技術】
従来、小型の浄水器は、遊離塩素や臭気物質、微細懸濁物を除去するフイルタをカセットにして密閉容器内に収納したものがある（特開平11-47730）。この容器は、図３にその一部を示すように、下部タンクと上部タンクとに分割し、それぞれ薄い金属板をプレス成型して構成されている。下部タンク１と上部タンク２（蓋）に分割し、フイルタ３を収納した下部タンク１のフランジ１１に、金属パッキング４１を介挿して上部タンク２のフランジ２１をかぶせ、複数個の締め付けネジ５で締め付け固定させるようにしている。そうすると、内周部の弾性体４２が上下タンクの湾曲部に密着してシールがとれる。１２、２２はフランジ部に溶着させた補強リング、１３、２３はフランジ内側の湾曲部である。
【０００３】
【発明が解決しようとする課題】
ところが、下部タンク１および上部タンク２は、薄い金属板を深絞り加工によってプレス成型しているので、タンクとパッキングとの中心位置がずれていると、パッキングの弾性体８２がタンクのコーナ部に接触せず確実なシールができない場合がある。
また、タンク内部の圧力が変化した場合、タンクのフランジ面性状によりパッキングがタンクの中心方向に引っ張られて位置ずれが発生し、タンクコーナ部とパッキングの弾性体とが接触せず確実なシールが出来ない場合がある。このため、ずれ防止策として切削加工によりフランジ面を均一にしたり、固定用のねじ本数を増加したりしていた。
そこで、本発明は確実なシールができ、組立時の位置決めが容易でかつ、フランジ面の切削加工やねじ本数の増加などずれ防止策のいらない安価な浄水器を提供することを目的とする。
【０００４】
上記問題を解決するため、本発明は、薄い金属板の絞りでプレス成型した下部タンクと上部タンクをフランジ面で結合する際、このフランジ面相互間にゴム製のパッキングを介挿させて密閉した密閉容器をそなえた浄水器において、
前記ゴム製のパッキングは、フランジ面に密着する平板部と、内周縁の上下両側面に膨出し前記タンクを密閉する弾性部と、外周縁の上下側面の少なくとも一方に伸延した位置合わせをするためのガイド部を一体に構成したものからなり、前記下部タンクと上部タンクのフランジ面相互間に前記ゴム製パッキングを介挿して締め付けたときに、両側のフランジ面内側の湾曲部に前記弾性部が圧接されるようにしたことを特徴としている。
【０００５】
【発明の実施の形態】
本発明の実施例について図に基づいて詳細に説明する。
図１は本発明のパッキングを用いた浄水器の構成を示す側断面図、図２は要部の部分拡大側断面図である。図において、１は下部タンク、２は上部タンク、１１、２１はフランジ、１２、２２は補強リング、１３、２３は湾曲部、３はタンク内に収納されたフイルタ、４はゴム製のパッキング、４１はゴム製のパッキングの平板部、４２は弾性部、４３はガイド部、５は締め付けネジ、６は水道水などを供給する給水口、７は浄化された水を排出する排水口である。
下部タンク１および上部タンク２は、薄鋼板を深絞り加工でプレス成型されており、各タンクは、開口部の周囲にフランジ１１，２１を形成し、このフランジの内側に湾曲部１３、２３が設けられている。
ゴム製のパッキング４は、タンクの内径より僅かに大きい内径の平板部４１と、内周縁に固着させ両側面に膨出させた弾性部４２と、外周縁から下部タンク１側に伸延したガイド部４３を一体にして構成している。ガイド部４３の内径は、フランジの外形より僅かに小さくしてある。
【０００６】
フイルタ３を収納した下部タンク１のフランジ１１に、ゴム製のパッキング４の平板部４１を載置すると、ゴム製のパッキング４の弾性部４２の下側に膨出した部分が、下部タンク１の湾曲部１３に当接する。この平板部４１の上に上部タンク２のフランジ２１を重ねてガイド部４３で位置決めする。つぎに締め付けネジ５で締め付けると、上部タンク２のフランジ２１がゴム製のパッキング４の平板部４１を挟んで前記フランジ１１に結合されるとともに、湾曲部２３がシールパッキング８に固着した弾性部４２の上側に膨出した部分に押し付けられ、前記下側の弾性部も湾曲部１３に押し付けて、弾性部４２が両方の湾曲部１３、２３に圧接し、この湾曲部１３、２３相互の空間内で圧縮されてシールが行われる。したがって、、フランジ１１、２１間にはゴム製のパッキング４の平板部４１だけが挿入され、内側の湾曲部で弾性部４２によってシールされる。
また、ガイド部４３を設けているので、タンク内部の圧力が減少してパッキング４が中心方向に引っ張られた場合でもガイド部４３により固定されるので、位置ずれすることがない。
なお、弾性部４２の形状は、図示の実施例に限られず、中空やヘラ状断面などにすることもできる。また、ゴム製のパッキング４の平板部４１の両側に焼き付けや接着などにより別個に固着させてもよいが、両側を連続させて金属板パッキングの内径縁から挿入するようにして固着させれば取り付けが簡単になる。
【０００７】
【発明の効果】
このように本発明は、下部タンクと上部タンクのフランジ面に平板状の基部と、内周縁の上下両側面に膨出しタンクを密閉する弾性部とを一体に構成したゴム製のパッキングを用いてフランジ内側に形成された湾曲部に弾性体を圧接させてシールするようにしてあるので、浄水器の密閉容器の確実なシールができる。
また、ゴム製のパッキングの外周縁にガイド部を設けたので、組立時の位置決めが容易になり、さらにフランジ面の切削加工やねじ本数の増加などずれ防止策を施す必要がなく浄水器のコストを安価にできる効果がある。
【図面の簡単な説明】
【図１】本発明の実施例を示す側断面図である。
【図２】本発明の要部の拡大断面図である。
【図３】従来の例を示す要部の拡大断面図である。
【符号の説明】
１  下部タンク                              ５  締め付けネジ
２  上部タンク                              ６  給水口
１１、２１  フランジ                        ７  排水口
１２、２２  補強リング
１３、２３  湾曲部
３  フイルタ
４  ゴム製のパッキング
４１  パッキングの平板部
４２  パッキングの弾性部
４３  パッキングのガイド部
【図１】
0004161242.tif 000002
【図２】
0004161242.tif 000003
【図３】
0004161242.tif 000004
(57)【特許請求の範囲】
【請求項１】
所要の高さを有し多段状に形成されたラックケース(1)と、前記ラックケース(1)内に少なくともパソコンを有するラック装置において、前記ラックケース(1)の最下段の底部(10)に設けられた複数のトラックボール(11)と、前記トラックボール(11)上に摺動自在に設けられたテーブルユニット(14)と、前記底部(10)の両側に設けられたガイド壁(12)と、前記各ガイド壁(12)の内面に設けられ前記テーブルユニット(14)の上面と摺接するフランジ体(13)とを備え、前記テーブルユニット(14)の下面が前記トラックボール(11)と摺接することにより前記テーブルユニット(14)の出し入れを行う構成としたことを特徴とするラック装置。
【請求項２】
前記底部(10)に設けられたガイドレール(16)と、前記テーブルユニット(14)の下面に形成され前記ガイドレール(16)と係合する開口(17)とを備え、前記ガイドレール(16)と開口(17)とにより、前記テーブルユニット(14)の直線移動を案内する構成としたことを特徴とする請求項１記載のラック装置。
【発明の詳細な説明】
【０００１】
【発明の属する技術分野】
本発明はラック装置に関し、特に、その最下段位置にトラックボールをガイドとして、例えばプリンタ等の重量物を載せたテーブルユニットを容易に出し入れ出来るようにするための新規な改良に関する。
【０００２】
【従来の技術】
従来、用いられていたこの種のラック装置としては、図示していないが、各段に設けられた引出し機構は、出し入れ自在なテーブルの両側部位置に設けられたスライドレールを取付け、このスライドレールをガイドとしてテーブルが出し入れされる構成であった。
【０００３】
【発明が解決しようとする課題】
従来のラック装置は、以上のように構成されていたため、次のような課題が存在していた。
すなわち、各スライドレールは、ラック装置のラックケースの内面から内側に突出していると共に、その形状も大型であるため、その寸法分だけテーブルの寸法が小さくなり、大型の例えばプリンタ等は載置することは出来なかった。
また、スライドレールのみでテーブルを支持しているため、プリンタ等の重量物は載置することが出来なかった。
【０００４】
本発明は、以上のような課題を解決するためになされたもので、特に、その最下段位置にトラックボールをガイドとして、例えばプリンタ等の重量物を載せたテーブルユニットを容易に出し入れ出来るようにしたラック装置を提供することを目的とする。
【０００５】
【課題を解決するための手段】
本発明によるラック装置は、所要の高さを有し多段状に形成されたラックケースと、前記ラックケース内に少なくともパソコンを有するラック装置において、前記ラックケースの最下段の底部に設けられた複数のトラックボールと、前記トラックボール上に摺動自在に設けられたテーブルユニットと、前記底部の両側に設けられたガイド壁と、前記各ガイド壁の内面に設けられ前記テーブルユニットの上面と摺接するフランジ体とを備え、前記テーブルユニットの下面が前記トラックボールと摺接することにより前記テーブルユニットの出し入れを行う構成であり、また、前記底部に設けられたガイドレールと、前記テーブルユニットの下面に形成され前記ガイドレールと係合する開口とを備え、前記ガイドレールと開口とにより、前記テーブルユニットの直線移動を案内する構成である。
【０００６】
【発明の実施の形態】
以下、図面と共に本発明によるラック装置の好適な実施の形態について説明する。
図５及び図示６において符号１で示されるものはラック装置２のラックケースであり、このラックケース１内は、第１段ラック部３から第６段ラック部８迄多段状に形成されている。
【０００７】
前記第１段ラック部３は電源部、第２段ラック部４は切換部、第３ラック部５はメモリ部、第４ラック部６はパソコン、第５ラック部７はキーボード、第６ラック部８はプリンタで構成されている。
【０００８】
前記ラックケース１の最下段の第６ラック部８の底部１０には、複数のトラックボール１１が配設され、各トラックボール１１のボール１１ａは鋼球で構成されている。
前記底部１０の両側には、垂直状に立設されたガイド壁１２が形成され、この各ガイド壁１２の内面には長手形状のフランジ体１３が設けられている。
【０００９】
前記各トラックボール１１上には、台状に形成されたテーブルユニット１４の上板１４ｂが摺動自在に設けられ、このテーブルユニット１４の上面側部１４ａと各フランジ体１３との間にはテフロン等よりなる減摩剤１５が設けられ、テーブルユニット１３の出し入れが円滑でかつ上方への飛び出しが防止されるように構成されている。
【００１０】
前記底部１０上には、その両側位置に長手形状のガイドレール１６が形成され、この各ガイドレール１６は前記テーブルユニット１４に形成された開口１７に係合し、テーブルユニット１４が出し入れされる際の横方向振れを防止し、直線移動を案内するように構成されている。
【００１１】
次に、動作について説明する。まず、テーブルユニット１４の上板１４ｂ上には、パソコン６に対応するプリンタ２０が載置され、このテーブルユニット１４を、前述の各トラックボール１１、ガイドレール１６及びフランジ体１３を介して直線往復移動による第６段ラック部８からの出し入れを行うことができる。
なお、このテーブルユニット１４は、その上板１４ｂが直接トラックボール１１のボール１１ａ上に接しているため、テーブルユニット１４上に載置する物体がプリンタ２０等の重量物であっても、確実な出し入れを行うことができる。
【００１２】
【発明の効果】
本発明によるラック装置は、以上のように構成されているため、次のような効果を得ることができる。
すなわち、ラック装置の底部に設けられた各トラックボール上にテーブルユニットが摺動自在に配設されているため、プリンタ等の重量物についても確実な出し入れを行うことができる。
また、このテーブルユニットは、ガイドレールによって上方への飛び出しが防止され、フランジ体によって左右方向の振れが防止されるため、確実な出し入れができる。
また、ガイド壁に設けたフランジ体は、従来のように重量がかかるものではないため、小型で簡単なものでよく、横幅方向の寸法を従来よりも大きくとることができ、従来よりも大型の物体を載置することができる。
【図面の簡単な説明】
【図１】本発明によるラック装置のテーブルユニットを示す平面図である。
【図２】本発明によるラック装置の底部を示す平面図である。
【図３】図２の左側面図である。
【図４】図２の底面図である。
【図５】本発明によるラック装置を示す正面図である。
【図６】図５の右側面図である。
【符号の説明】
１    ラックケース
１０    底部
１１    トラックボール
１２    ガイド壁
１３    フランジ体
１４    テーブルユニット
１６    ガイドレール
１７    開口
【図１】
0004161091.tif 000002
【図２】
0004161091.tif 000003
【図３】
0004161091.tif 000004
【図４】
0004161091.tif 000005
【図５】
0004161091.tif 000006
【図６】
0004161091.tif 000007